(57)【要約】【課題】プロジェクターを備えたボード型電子黒板のように重量の嵩むボードの昇降操作を、何人も容易に行うことができ、スタンド式のみならず、壁面固定式のボードにも利用展開ができる上下スライド式ボード機構を提供することを課題とする。【解決手段】ボードと、ボード保持フレーム２と、ボード保持フレームを上下動可能に支持する支持部３とから成り、支持部３は、ピン差込孔６を設けた位置決め部材５と、位置決め部材５の上部に配置されるばね箱７とを備え、ばね箱７内には、先端部がボード保持フレーム２の一部に固定される定荷重ばね８が収納され、ボード保持フレーム２は、その縦枠部が支持部３の側部においてスライドレールにより上下方向に摺動可能に支持され、また、その下方に位置する横枠部に、差込ピン２４を含んでいて、差込ピン２４をピン差込孔６に出入操作する機能を備えた高さ設定手段が設置されて成る。【選択図】図１
2011104911.tif 000002
【特許請求の範囲】
【請求項１】
ボードと、前記ボードを保持するボード保持フレームと、前記ボード保持フレームを上下動可能に支持する支持部とから成り、
前記支持部は、上下方向に適宜間隔置きにピン差込孔を設けた位置決め部材と、前記位置決め部材の上部に配置されるばね箱とを備え、前記ばね箱内には、先端部が前記ボード保持フレームの一部に固定される定荷重ばねが収納され、
前記ボード保持フレームは、その縦枠部が前記支持部の側部に設けられたスライドレール機構により上下方向に摺動可能に支持され、また、その下方に位置する横枠部に、差込ピンを含んでいて、前記差込ピンを前記ピン差込孔に出入操作する機能を備えた高さ設定手段が設置されて成ることを特徴とする上下スライド式ボード。
【請求項２】
前記高さ設定手段は、前記下方に位置する横枠部から延びる一対の支持アームに支持される枠体と、前記枠体内に配置される、前記差込ピンが設置される操作部とを含み、前記操作部は、前記枠体に固定される差渡し棒と、前記差渡し棒に突設される一対の摺動支持棒と、前記一対の摺動支持棒に纏装されるスプリングと、前記差渡し棒との間に前記スプリングを挟んで前記一対の摺動支持棒に摺動可能に設置されるハンドルと、前記ハンドルに突設される前記差込ピンとから成り、前記枠体には、前記差込ピンを挿通させるピン孔が形成される、請求項１に記載の上下スライド式ボード。
【請求項３】
前記枠体に、前記一対の摺動支持棒を嵌入して支持する受けパイプが設置される、請求項１又は２に記載の上下スライド式ボード。
【請求項４】
前記高さ設定手段はボードの背面側に設置されて、背面側において操作される、請求項１乃至３のいずれかに記載の上下スライド式ボード。
【請求項５】
前記高さ設定手段はボードの正面側に設置されて、正面側において操作される、請求項１乃至３のいずれかに記載の上下スライド式ボード。
【請求項６】
前記支持部における前記ボード保持フレームを上下動可能に支持する部分に、高性能ポリマー製のスライドベアリングレール構造を採用した、請求項１乃至５のいずれかに記載の上下スライド式ボード。
【請求項７】
前記支持部における前記ボード保持フレームを上下動可能に支持する部分に、高性能ボールベアリング製のスライドレール構造を採用した、請求項１乃至５のいずれかに記載の上下スライド式ボード。
【請求項８】
昇降機構を備えていて、前記定荷重ばねは、前記昇降機構を補助するように作用する請求項１乃至７のいずれかに記載の上下スライド式ボード。
【請求項９】
請求項１乃至７のいずれかに記載の上下スライド式ボードの構成を含み、前記ボードが電子黒板、ホワイトボード又は黒板のいずれかである、移動型スタンド式ボード。
【請求項１０】
請求項１乃至７のいずれかに記載の上下スライド式ボードの構成を含み、前記ボードが電子黒板、ホワイトボード又は黒板のいずれかである、壁固定式ボード。
【発明の詳細な説明】
【技術分野】
【０００１】
本発明は、上下スライド式ボード、より詳細には、プロジェクター付きホワイトボード、及び、上下可動式の壁取り付け黒板のような比較的重量のあるボードを、任意の高さに昇降させ、その位置に保持させることが容易な上下スライド式ボードに関するものである。
【背景技術】
【０００２】
従来より、上下方向にスライドする方式の黒板が存する。例えば、その昇降機構は、黒板の裏面に、壁に取り付けられるケース内を上下方向に摺動するガイドバーが２本設置されて成る。そして、例えばケース内には一対の滑車と、滑車に掛け回される２条のワイヤーと、ワイヤーを付勢するスプリングとが配備され、各ワイヤーの端部が滑車とガイドバーとに固定される（実開昭４７−３６５３５号公報、実公昭５４−２９８５２号公報）構造を持つ。上記スプリングの代わりに、ピストンシリンダーを用いるものもある（実公昭５６−３６３５２号公報）。
【０００３】
ところで、近時、講義や授業、会議等に際し、黒板やホワイトボード等の筆記用ボードに映写用スクリーンを併設し、あるいは、ホワイトボードを映写用スクリーンと兼用にし、ボードにプロジェクターを搭載した、いわゆるボード型電子黒板が広く使用されるようになってきている。このボード型電子黒板には、壁面固定式のものと、移動可能なスタンド式のものとがあり、それぞれ上下方向に可動な昇降タイプが用意される。
【０００４】
ところでボード型電子黒板は、上述したように、プロジェクターを搭載しているために重量が嵩み、昇降タイプのものにおいて、後方の席からも見やすくするために上方に移動操作する際に、ある程度の力が必要となる。壁面固定式の場合には、上述したような従来から用いられている方法を採用することができるが、スタンド式の場合は、従来それ程重量の嵩むボードは用いられていなかった関係上、好適なものは提唱されていない。また、ボード昇降機構のブレーキ機能に影響が及び、ボードが少しずつ下がるという問題もある。
【先行技術文献】
【特許文献】
【０００５】
【特許文献１】実開昭４７−３６５３５号公報
【特許文献２】実公昭５４−２９８５２号公報
【特許文献３】実公昭５６−３６３５２号公報
【発明の概要】
【発明が解決しようとする課題】
【０００６】
本発明は、上述したように従来、スタンド式であり且つ昇降式のボードで、ボードの重量が嵩む場合において、その昇降操作を容易に行うことができるものは提唱されておらず、また、昇降機構を備えたものにおいて、ボードの重みによって昇降機構のブレーキ性能に支障をきたすおそれがあることに対する対策が施されていなかったことに鑑みてなされたものである。
【０００７】
即ち、本発明は、プロジェクターを備えたボード型電子黒板のように重量の嵩むボードの昇降操作を、何人も容易に行うことができ、スタンド式のみならず、壁面固定式のボードにも利用展開ができ、また、昇降機構を備えたものにおいて、ボードの重みによって昇降機構のブレーキ性能に支障をきたすおそれがない、上下スライド式ボード機構を提供することを課題とする。
【課題を解決するための手段】
【０００８】
上記課題を解決するための請求項１に記載の発明は、ボードと、前記ボードを保持するボード保持フレームと、前記ボード保持フレームを上下動可能に支持する支持部とから成り、前記支持部は、上下方向に適宜間隔置きにピン差込孔を設けた位置決め部材と、前記位置決め部材の上部に配置されるばね箱とを備え、前記ばね箱内には、先端部が前記ボード保持フレームの一部に固定される定荷重ばねが収納され、前記ボード保持フレームは、その縦枠部が前記支持部の側部においてスライドレールにより上下方向に摺動可能に支持され、また、その下方に位置する横枠部に、差込ピンを含んでいて、前記差込ピンを前記ピン差込孔に出入操作する機能を備えた高さ設定手段が設置されて成ることを特徴とする上下スライド式ボードである。
【０００９】
好ましい実施形態においては、前記高さ設定手段は、前記下方に位置する横枠部から延びる一対の支持アームに支持される枠体と、前記枠体内に配置される、前記差込ピンが設置される操作部とを含み、前記操作部は、前記枠体に固定される差渡し棒と、前記差渡し棒に突設される一対の摺動支持棒と、前記一対の摺動支持棒に纏装されるスプリングと、前記差渡し棒との間に前記スプリングを挟んで前記一対の摺動支持棒に摺動可能に設置されるハンドルと、前記ハンドルに突設される前記差込ピンとから成り、前記枠体には、前記差込ピンを挿通させるピン孔が形成されて成る。また、好ましくは、前記枠体に、前記一対の摺動支持棒を嵌入して支持する受けパイプが設置される。
【００１０】
一実施形態においては、前記高さ設定手段はボードの背面側に設置されて、背面側において操作するようにされ、他の実施形態においては、前記高さ設定手段はボードの正面側に設置されて、正面側において操作するようにされる。また、好ましくは、前記支持部における前記ボード保持フレームを上下動可能に支持する部分に、ボールベアリング製スライドレール、あるいは、高性能ポリマー製のスライドベアリング構造が採用される。
【発明の効果】
【００１１】
本発明は上述したとおりであって、本発明に係る上下スライド式ボードにおいては、固定手段における簡単なハンドル操作で、ピン差込孔から差込ピンを抜くことによってボードの昇降が可能となり、また、ボードは、定荷重ばねの作用で上方に付勢されるため、ボードの昇降操作は、ボードの重みを感じることなく、何人も容易く行うことができる効果がある。
【００１２】
また、請求項８に係る発明においては、ボードは昇降機構に付設された定荷重ばねによって支持されるため、ボードの重量によって昇降機構のブレーキ機能が阻害されることがないという効果がある。
【図面の簡単な説明】
【００１３】
【図１】本発明に係る上下スライド式ボードの構成例を示す背面側斜視図である。
【図２】本発明に係る上下スライド式ボードの構成例を示す正面側斜視図である。
【図３】本発明に係る上下スライド式ボードにおける高さ設定手段の構成例を示す分解斜視図である。
【図４】本発明に係る上下スライド式ボードにおける高さ設定手段の構成例を示す側面図である。
【発明を実施するための最良の形態】
【００１４】
以下に、本発明を実施するための最良の形態について、図面に依拠して説明する。図示した例は、キャスター付きスタンド式のものであって、そこにおいて上下スライド式ボード１は、ボード（図示してない）と、ボードを保持するボード保持フレーム２と、ボード保持フレーム２を上下動可能に支持する支持部である、支持スタンド３とから成る。好ましくは、支持スタンド３には、そのベース脚にキャスター３ａが取り付けられると共に、Ｌ字形の転倒防止バー３ｂが設置される。ボードは、例えば、同一面にホワイトボードとスクリーンの機能を併せ有するものとされる。
【００１５】
また、支持スタンド３はその背面側に、上下方向に適宜間隔置きにピン差込孔６を設けた位置決め部材５と、位置決め部材５の上部に配置される巻き定荷重ばね８を収納するばね箱７とを備える。図示した例の位置決め部材５は、２本の平行に配された棒材をプレートで被覆して成るもので、支持スタンド３を構成する上方横渡し材９と下方横渡し材１０との間に固定されている。
【００１６】
ボード保持フレーム２は、その上枠１１と下枠１２との間にボードを挟持して保持するもので、その背面上部に、プロジェクターの支持アーム３０を挿入支持するためのアーム受け４を備える。ボード保持フレーム２は、例えば、その縦枠に形成される突条１３が、支持スタンドの側部に設けたガイドレール１４に摺動自在に嵌め込まれることにより、支持スタンド３に対して上下動可能となる。
【００１７】
このガイドレール１４部分は、ボールベアリングを用いたスライドレール構造であってもよいが、より高負荷耐久性を有し、また、騒音性能の面でも優れた高性能ポリマー製のスライドベアリング構造を採用することが推奨される。
【００１８】
また、ボード保持フレーム２には、その下方に位置する横桟１５に、高さ設定手段が設置される。この高さ設定手段は、横桟１５から水平方向に延びる一対の支持アーム１７の先端部において支持される平面コ字形状の枠体１８と、枠体１８内に配置される操作部とを含み、この操作部は、枠体１８の両側面間に渡されて固定される差渡し棒２０と、差渡し棒２０に水平方向に突設される一対の摺動支持棒２１と、一対の摺動支持棒２１に纏装されるリターンスプリング２２と、一対の摺動支持棒２１を摺動可能に挿通し、リターンスプリング２２の端部が固定されるハンドル２３と、ハンドル２３に水平方向に突設される差込ピン２４とから成る。
【００１９】
枠体１８には、差込ピン２４を挿通するためのピン孔２６が形成され、また、一対の摺動支持棒２１を嵌入してこれを支持するための受けパイプ２７が設置される。摺動支持棒２１は、受けパイプ２７内に嵌入されることにより、後述するハンドル２３の動きを支持する。
【００２０】
なお、図示した例では、高さ設定手段は背面側に設置されて、背面側で操作するようになっているが、支持アーム１７を前面側に延ばすことにより前面側に設置して、前面側において操作するようにすることもできる。壁面固定式の場合は、前面側に設置されることになる。
【００２１】
ばね箱７に収納される定荷重ばね８は、汎用商品名がコンストンバネと呼ばれるもので、ばね箱７から引き出される荷重に対して、巻き戻し方向への均衡復元力を有するもので、その先端部にＬ字形プレート２９が取り付けられ、このＬ字形プレート２９がボード保持フレーム２の任意の位置に固定される。定荷重ばね８を昇降機構を有するボードに設置する場合は、例えば、ばね箱７に適宜ブラケットを設けて、そのブラケットを介してバネ箱７を適宜部位に固定し、定荷重ばね８は、そのＬ字形プレート２９を昇降機構やボードの裏側の任意の位置に固定することによって設置する。
【００２２】
上記構成において、ボード、即ち、ボード保持フレーム２を昇降させるに際しては、背面側に回り、差渡し棒２０に両手の親指を掛け、他の指をハンドル２３に掛けて、ハンドル２３をリターンスプリング２２の弾発力に抗して手前に引く。それにより差込ピン２４がピン差込孔６から抜けると、ボード保持フレーム２の昇降が可能となる。
【００２３】
その状態において、定荷重ばね８がバネ箱７内に巻き戻ろうとする等、反発ばねのトルク特性により、連結板２８及びＬ字形プレート２９を介して帯状バネ８に連結されているボード保持フレーム２との荷重が、吊り合い状態になる。従って、如何にボードが重いとしても、差渡し棒２０及びハンドル２３を握持してボードを上げ下げすることは、極めて容易いこととなる。
【００２４】
そして、所望の高さのピン差込孔６を選択し、その高さにおいてハンドル２３から指を離すと、ハンドル２３はリターンスプリング２２の作用で前進し、差込ピン２４がピン差込孔６内に進入する。かくして、ボード保持フレーム２はその高さ位置に安全な状態を保ち固定されることになり、昇降不可となる。
【００２５】
このように本発明に係る上下スライド式ボードは、シンプルな構成であって、老若男女を問わず、力を必要としない簡単な操作で、ボードを任意の高さ位置に移動させてその位置に固定することができる、大変に有用なものである。そして、この構成は、上述したように、スタンド式ボードに限らず、壁面固定式のボードに対しても適用可能である。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００２７】
１    上下スライド式ボード
２    ボード保持フレーム
３    支持スタンド
４    アーム受け
５    位置決め部材
６    ピン差込孔
７    ばね箱
８    定荷重ばね
１３    突状
１４    ガイドレール
１５    横桟
１７    支持アーム
１８    枠体
２０    差渡し棒
２１    摺動支持棒
２２    リターンスプリング
２３    ハンドル
２４    差込ピン
２６    ピン孔
２７    受けパイプ
２８    連結板
２９    Ｌ字形プレート
【図１】
2011104911.tif 000003
【図２】
2011104911.tif 000004
【図３】
2011104911.tif 000005
【図４】
2011104911.tif 000006